(57)【要約】【課題】  乳房の横流れを抑える効果を向上させたブラジャーを提供する。【解決手段】  カップ１は、カップ上辺の肩紐連結部１５の近傍と、カップの下湾曲縁１７とを結ぶ略垂直かつ略直線状の接ぎ線（はぎせん）１９によって、立体を構成する内側領域２１と、立体を構成しない脇側領域２３とに分けられる。内側領域２１は３片の保形性の布１２，１３，１４により構成され、脇側領域は同じく保形性の布１１により構成される。カップ１を構成する布１１〜１４と、カップ台布３とを縫着する接ぎ線３３は、左右の下端の一方から他方までにおいて、略横一文字に延びており、一対のカップ１の間において、乳房のバージスライン（輪郭線）に沿って上部まで湾曲してはいない。一対のカップ１それぞれの上カップ布１２の内側端縁は、垂直線状であり、この垂直線状の接ぎ線３５に沿って、上カップ布１２の内側端縁同士が縫着されている。【選択図】  図１
0003211073.tif 000002
【実用新案登録請求の範囲】
【請求項１】
左右一対のカップの各々において、カップ上辺の肩紐連結部近傍とカップの下湾曲縁とを結ぶ略垂直線から脇側の部分を構成するカップサイド布と、前記略垂直線から内側の部分のうち、上辺に沿った略帯状の部分を構成する上カップ布と、前記内側の部分のうち、前記上カップ布の下側の略三角形部分を、脇側と内側とに略二分するように並び、かつ各々が略三角形状の脇側下カップ布及び内側下カップ布と、が縫着されており、
前記一対のカップの一方の脇側、双方の下側から他方の脇側にわたって、前記一対のカップの各々を構成する前記４片の布よりも低伸縮性のカップ台布が、縫着されており、
前記上カップ布、脇側下カップ布及び内側下カップ布は、互いに縫着される輪郭線が、縫着前において外方へ湾曲した形状であり、
前記カップサイド布、上カップ布、及び脇側下カップ布の、前記略垂直線に沿って縫着される輪郭線が、縫着前において直線状であり、
前記一対のカップと前記カップ台とが縫着される線は、前記一対のカップの一方の下端から他方の下端までにおいて、略横一文字に延びており、
前記左右一対のカップの前記上カップ布の垂直線状の内側端縁同士が、互いに縫着されているブラジャー。
【考案の詳細な説明】
【技術分野】
【０００１】
本考案は、ブラジャーに関し、特に、乳房の横流れ（横への広がり）を抑え、前方への膨らみを強調する技術に関する。
【背景技術】
【０００２】
従来、この種の技術として、特許文献１に開示されるブラジャーが知られている。特許文献１の要約書に即すると、この従来技術によるブラジャーは、図６（特許文献１の図１）に示すように、左右一対のカップ各々において、伸縮性がないもしくは伸縮性の少ない生地からなる脇カップ表布１２ａが、カップ上辺２０の肩紐連結部近傍とカップの下湾曲縁７略中央部とを結ぶ線（内側縁２２；段落００１４参照）から脇側の部分を構成し、該脇カップ表布１２ａの上尖端部２３は肩紐５に連結してなり、更に、脇カップ裏打ち布１２ｂが脇カップ表布１２ａと略同形状であって、その上尖端部２５は肩紐５に連結してなり、該脇カップ裏打ち布１２ｂが、他部分のカップ裏打ち布より厚地で構成されてなることを特徴とする。それにより、乳房を下側から持ち上げると共に、左右両側から前中心側に寄せる効果を奏し、乳房全体のボリュームアップを実現させて、且つ、乳房の形状をシャープに美しく見せ、更に、着用感にも優れたブラジャーを提供しようとしている。
【０００３】
しかし、この従来技術によるブラジャーは、左右のカップの間において、左右の下湾曲縁７のそれぞれが、乳房のバージスライン（輪郭線）に沿って上部まで湾曲している。すなわち、左右のカップが互いに分離するように構成されている。また、脇カップ布１２は、上カップ布１０、下カップ布１１と共に、立体を構成するように形作られている。このため、乳房を左右両側から前中心側に寄せる効果、すなわち乳房の横流れを抑える効果が減殺される、という問題点があった。
【先行技術文献】
【特許文献】
【０００４】
【特許文献１】特開平１０−２５９５０９号公報
【考案の概要】
【考案が解決しようとする課題】
【０００５】
本考案は上記の問題点に鑑みてなされたもので、乳房の横流れを抑える効果を向上させたブラジャーを提供することを目的とする。
【課題を解決するための手段】
【０００６】
上記課題を解決し上記目的を達成するために、本考案の一態様によるものは、ブラジャーであって、左右一対のカップの各々において、カップ上辺の肩紐連結部近傍とカップの下湾曲縁とを結ぶ略垂直線から脇側の部分を構成するカップサイド布と、前記略垂直線から内側の部分のうち、上辺に沿った略帯状の部分を構成する上カップ布と、前記内側の部分のうち、前記上カップ布の下側の略三角形部分を、脇側と内側とに略二分するように並び、かつ各々が略三角形状の脇側下カップ布及び内側下カップ布と、が縫着されている。前記一対のカップの一方の脇側、双方の下側から他方の脇側にわたって、前記一対のカップの各々を構成する前記４片の布よりも低伸縮性のカップ台布が、縫着されている。また、前記上カップ布、脇側下カップ布及び内側下カップ布は、互いに縫着される輪郭線が、縫着前において外方へ湾曲した形状であり、前記カップサイド布、上カップ布、及び脇側下カップ布の、前記略垂直線に沿って縫着される輪郭線が、縫着前において直線状である。さらに、前記一対のカップと前記カップ台とが縫着される線は、前記一対のカップの一方の下端から他方の下端までにおいて、略横一文字に延びており、前記左右一対のカップの前記上カップ布の垂直線状の内側端縁同士が、互いに縫着されている。
【０００７】
この構成によれば、左右一対のカップの各々を構成する４片の布のうち、カップサイド布を除いた他の３片の外方に湾曲する輪郭線同士が縫着されることにより、ドーム状の立体的なカップ形状が形成されている。カップサイド布と、これと縫着される他の２片の布は、直線状の輪郭線同士が縫着されるので、カップサイド布は、立体形状の形成に寄与せず、乳房を脇側から内側へ押して寄せる働き、すなわち、乳房の横流れを抑える働きをなす。低伸縮性のカップ台布が一対のカップの一方の脇側、双方の下側から他方の脇側にわたって縫着されているので、カップ全体が横に広がり難い。このため、カップサイド布が、乳房の横流れを効果的に抑えることが可能となる。一対のカップとカップ台とが縫着される線は、一対のカップの一方の下端から他方の下端までにおいて、略横一文字に延びており、左右のカップの間において、バージスラインに沿って上部まで湾曲していない。また、左右一対のカップの上カップ布の垂直な内側端縁同士が、互いに縫着されている。すなわち、左右のカップが、カップ台布により互いに分離されることなく、カップ布同士が垂直線状の互いの端縁に沿って縫着されることにより、つながっている。それにより、乳房の横流れがより効果的に抑えられる。
【考案の効果】
【０００８】
以上のように本考案によれば、乳房の横流れを抑える効果を向上させ、前方への膨らみを一層強調するブラジャーが実現する。
【図面の簡単な説明】
【０００９】
【図１】本考案の一実施の形態によるブラジャーを裏から見た構成を例示する図である。
【図２】図１のブラジャーの一部を裏から見た構成を例示する写真である。
【図３】図１のブラジャーのカップを構成する４片の布の縫着前の輪郭形状を例示する平面図である。
【図４】図１のブラジャーを表から見た構成を例示する図である。
【図５】図１のブラジャーの一部を表から見た構成を例示する写真である。
【図６】従来技術によるブラジャーを裏から見た構成を示す図である。
【考案を実施するための形態】
【００１０】
図１は、本考案の一実施の形態によるブラジャーを裏から、すなわち肌に接する側から見た構成を例示する図である。また、図２は、同ブラジャーの一部を裏から見た構成を例示する写真であり、裏布の一部はめくり返されている。このブラジャー１０１は、左右一対のカップ１、カップ台布３、左右の一対のベルト５、及び左右一対の肩紐７を有している。カップ１は、４領域に分割して配置された、保形性の布１１，１２，１３，１４を有している。保形性とは、ドーム状の立体形状を構成したときに、その形状を保持する性質である。布１１，１２，１３，１４には、例えば、厚手の不織布、厚手の綿シートなどが用いられ、それにより保形性とともに、優しい肌触り、及び吸湿性が得られる。
【００１１】
カップ１は、カップ上辺の肩紐連結部１５の近傍と、カップの下湾曲縁１７とを結ぶ略垂直かつ略直線状の接ぎ線（はぎせん）１９によって、立体を構成する内側領域２１と、立体を構成しない脇側領域２３とに分けられる。脇側領域２３には、カップサイド布１１が配置される。内側領域２１は、さらに３領域に分けられ、それぞれに上カップ布１２、脇側下カップ布１３、内側下カップ布１４が配置されている。上カップ布１２は、内側に向かって下方に湾曲するカップ１の上辺に沿った略帯状の部分を占める。脇側下カップ布１３及び内側下カップ布１４は、内側領域２１のうち、上カップ布１２の下側の略三角形部分を、脇側と内側とに略二分するように並んでおり、各々が略三角形状である。４片の布１１，１２，１３，１４は、接ぎ線１９のほか、接ぎ線２５、２７に沿って、互いに縫い合わされている。４片の布１１，１２，１３，１４は、いずれも好ましくは厚手であり、互いに重ね合わせたり、折り返したりすることなく、互いに突き合わせた状態で、縫い合される。突き合わせを隠すために、接ぎ線１９，２５，２７に沿って、テープ状の布２９，３０，３１が、布１１，１２，１３，１４とともに縫い合わされる。
【００１２】
図３は、４片の布１１，１２，１３，１４の縫着前の輪郭形状を例示する平面図である。接ぎ線２５に沿う上カップ布１２の輪郭線は、上カップ布１２の外方に湾曲している。同様に、接ぎ線２５に沿う脇側下カップ布１３及び内側下カップ布１４の輪郭線は、いずれも外方に湾曲している。また、接ぎ線２７に沿う脇側下カップ布１３及び内側下カップ布１４の輪郭線も、外方に湾曲している。このため、３片の上カップ布１２、脇側下カップ布１３及び内側下カップ布１４は、互いに縫着されることにより、ドーム状の立体形状を形成する。これに対して、接ぎ線１９に沿うカップサイド布１１の輪郭線は、外側に湾曲せず、直線状である。また、接ぎ線１９に沿う上カップ布１２及び脇側下カップ布１３の輪郭線も、同じく直線状である。すなわち、カップサイド布１１は、ドーム状の立体形状を形成しない。このため、カップサイド布１１は、乳房を脇から内側へ押して寄せる働きをなす。また、布片１１，１２，１３，１４は、保形性を有するので、乳房の形に順応して自在に形が変わることなく、乳房の形を整える効果が高い。
【００１３】
図１及び図２に戻って、一対のカップ１の一方の脇側、双方の下側から他方の脇側にわたって、カップ台布３が縫着されている。カップ台布３には、例えば縦横低伸縮性であるマーキゼットなどの、低伸縮性の布が用いられる。カップ台布３が低伸縮性であるため、カップサイド布１１により乳房を内側へ寄せる効果が高められる。
【００１４】
カップ１を構成する４片の布１１，１２，１３，１４と、カップ台布３とを縫着する接ぎ線３３は、左右の下端の一方から他方までにおいて、略横一文字に延びており、一対のカップ１の間において、乳房のバージスライン（輪郭線）に沿って上部まで湾曲してはいない。すなわち、カップ台布３は、一対のカップ１の間に割って入るように配置されてはおらず、一対のカップ１同士が、カップ台布３により分離されてはいない。さらに、一対のカップ１それぞれの上カップ布１２の内側端縁は、垂直線状であり、垂直線状の接ぎ線３５に沿って、上カップ布１２の内側端縁同士が縫着されている。すなわち、左右のカップ１同士が、互いにつながっている。このため、カップサイド布１１により乳房を内側へ寄せる効果が、さらに高められる。
【００１５】
図１及び図２に例示するように、一対のカップ１の裏側には、裏地としての裏布３７が縫着されている。図２には、カップ１の布１１，１２，１３，１４が見えるように、裏布３７の一部を裁断し、めくり返した状態を示している。裏布３７には、保形性のない布が用いられる。このため裏布３７は、一本の接ぎ線３８に沿って縫着される２つの布片に分割されるのみで足りる。接ぎ線３８は、一例として、一部が接ぎ線２７と重なり、略その延長線に沿って、カップ１の上辺まで延びている。
【００１６】
カップ台布３の裏側にも、裏地としての裏布３９が縫着されている。これらの布３７，３９には、例えば、肌ざわりの良いモダールが用いられる。裏布３７は、一例として、パットを入れるポケットとしても機能するように、布１１，１２，１３，１４と自身との間には隙間が設けられる。パットはポケット口４１から、裏布３７と布１１，１２，１３，１４との間に、挿入することができる。裏布３７と裏布３９は、接ぎ線３３に沿って、布片１１，１２，１３，１４及びカップ台布３とともに縫着されている。接ぎ線３３にも、突き合わせを隠すために、それに沿うように、テープ状の布４３が、布１１，１２，１３，１４、カップ台布３、裏布３７，３９とともに縫い合わされる。
【００１７】
左右一対のベルト５には、伸縮性の布が用いられる。また、裏地には、裏布４５が縫着されている。裏布４５には、裏布３７，３９と同様に、例えば、肌ざわりの良いモダールが用いられる。一対のベルト５の端部には、互いの着脱を可能にする留め具４６が設けられる。左右一対の肩紐７の各々一端は、カップ１の最上端部の肩紐連結部１５に連結され、他端はベルト５の上辺の一部に連結される。
【００１８】
図４は、ブラジャー１０１を表から見た構成を例示する図である。また、図５は、ブラジャー１０１の一部を表から見た構成を例示する写真である。カップ１及びカップ台布３の表側にも、表地としての表布４７が縫着されている。一例として、表布４７は、装飾性あるレース地４９と、その裏に背景をなすように配置される背景布５１とが、縫着されてなる。表布４７も、裏布３７と同様に保形性が無いので、左右各１本の接ぎ線５３に沿って、接ぎ合わされている。接ぎ線５３は、裏布３７の接ぎ線３８と重なり、さらにカップ台布３の領域にまで延びている。表布４７は更に、接ぎ線３３に沿って、布片１１，１２，１３，１４、カップ台布３、裏布３７，３９とともに、縫着されている。表布４７はまた、接ぎ線３５に沿って、裏布３７、左右一対の布片１２，１４とともに、縫着されている。また、左右の一対のベルト５には、よく延びるように、ゴム７１が縫い込まれていてもよい。
【００１９】
なお、ブラジャー１０１において、裏布３７，３９，４５、及び表布４７の無い形態としても、乳房を脇から寄せる効果は、同等に得られる。
【符号の説明】
【００２０】
１  カップ、  ３  カップ台布、  ５  ベルト、  ７  肩紐、  １１  カップサイド布、  １２  上カップ布、  １３  脇側下カップ布、  １４  内側下カップ布、  １５  肩紐連結部、  １７  下湾曲縁、  １９  接ぎ線、  ２１  内側領域、  ２３  脇側領域、  ２５，２７  接ぎ線、  ２９，３０，３１  布、  ３３  接ぎ線、  ３５  接ぎ線、  ３７  裏布、  ３８  接ぎ線、  ３９  裏布、  ４１  ポケット口、  ４３  布、  ４５  裏布、  ４６  留め具、  ４７  表布、  ４９  レース地、  ５１  背景布、  ５３  接ぎ線、  ７１  ゴム、  ブラジャー  １０１。
【図１】
0003211073.tif 000003
【図２】
0003211073.tif 000004
【図３】
0003211073.tif 000005
【図４】
0003211073.tif 000006
【図５】
0003211073.tif 000007
【図６】
0003211073.tif 000008